(57)【要約】【課題】デッキ材に木質感を付与しながら、デッキ材に含まれる木粉の膨潤によってデッキ材が変形するのを抑制する。【解決手段】デッキ材１は、基材２と、基材２の上面を覆う上面表層部２０と、基材２の下面を覆う下面表層部３０とを備える。基材２は、合成樹脂に木粉が配合された木粉配合樹脂により構成され、上面表層部２０は、木粉の配合比率が基材２よりも小さくされた木粉配合樹脂により構成され、下面表層部３０は、木粉が配合されていない合成樹脂により構成されている。【選択図】図４
2018012976.tif 000002
【特許請求の範囲】
【請求項１】
屋外に設置され、所定方向に延びる板状のデッキ材であって、
基材と、
前記基材の上面を覆う上面表層部と、
前記基材の下面を覆う下面表層部とを備え、
前記基材は、合成樹脂に木粉が配合された木粉配合樹脂により構成され、
前記上面表層部は、木粉の配合比率が前記基材よりも小さくされた木粉配合樹脂により構成され、
前記下面表層部は、木粉が配合されていない合成樹脂により構成されている、ことを特徴とするデッキ材。
【請求項２】
請求項１に記載のデッキ材において、
前記上面表層部の表面が前記下面表層部の表面よりも粗い面に形成されている、ことを特徴とするデッキ材。
【請求項３】
請求項２に記載のデッキ材において、
前記上面表層部の幅方向両端部に、外側ほど高さが低くなるように傾斜した傾斜面が形成されている、ことを特徴とするデッキ材。
【請求項４】
請求項２または３に記載のデッキ材において、
前記上面表層部は、前記下面表層部よりも大きい厚みを有するように形成されている、ことを特徴とするデッキ材。
【請求項５】
請求項１〜４のいずれか１項に記載のデッキ材において、
前記基材の木粉配合比率が２０％以上８０％以下に設定され、かつ前記上面表層部の木粉配合比率が５％以上３０％以下に設定されている、ことを特徴とするデッキ材。
【請求項６】
請求項１〜５のいずれか１項に記載のデッキ材と、
前記デッキ材を下から支持する支持フレームと、
前記支持フレームを地盤に固定する台座部とを備えた、ことを特徴するデッキ構造。
【発明の詳細な説明】
【技術分野】
【０００１】
本発明は、屋外に設置されるデッキ材、およびこれを用いたデッキ構造に関する。
【背景技術】
【０００２】
従来から、テラス、ベランダ、遊歩道（ボードウォーク）、ベンチなどの屋外の構造物において、木材や合成樹脂などの適宜の材質により形成された板状のデッキ材が使用されている。
【０００３】
例えば、下記特許文献１には、成形の自由度が高くかつ天然木に近い風合い（木質感）をもったデッキ材を得るために、木粉が配合された合成樹脂を原料として、押出成形や射出成形によりデッキ材を成形することが開示されている。
【先行技術文献】
【特許文献】
【０００４】
【特許文献１】特開２００９−２４３２０８号公報
【発明の概要】
【発明が解決しようとする課題】
【０００５】
上記特許文献１のような木粉配合樹脂製のデッキ材においては、木粉の配合比率が高いほど、より天然木に近い風合いが得られることになる。しかしながら、木粉の配合比率をむやみに高くすると、降雨などによってデッキ材に水が付着した場合に、木粉が水を吸収して膨潤し、当該膨潤によってデッキ材が湾曲変形するような事態が懸念される。
【０００６】
本発明は、上記のような事情に鑑みてなされたものであり、木質感を備えながら、木粉の膨潤による変形が起こり難いように対策されたデッキ材およびこれを用いたデッキ構造を提供することを目的とする。
【課題を解決するための手段】
【０００７】
前記課題を解決するためのものとして、本発明は、屋外に設置されて所定方向に延びる板状のデッキ材であって、基材と、前記基材の上面を覆う上面表層部と、前記基材の下面を覆う下面表層部とを備え、前記基材は、合成樹脂に木粉が配合された木粉配合樹脂により構成され、前記上面表層部は、木粉の配合比率が前記基材よりも小さくされた木粉配合樹脂により構成され、前記下面表層部は、木粉が配合されていない合成樹脂により構成されている、ことを特徴とするものである（請求項１）。
【０００８】
本発明によれば、デッキ材における基材と上面表層部とがそれぞれ木粉配合樹脂により構成されるとともに、上面表層部の木粉配合比率の方が基材の木粉配合比率よりも小さくされているため、木粉の配合によりデッキ材に木質感を付与しながら、デッキ材の形状安定性を高めることができる。すなわち、例えば降雨等により上面表層部に水が付着した場合には、付着した水が上面表層部内の木粉に吸収されて当該木粉が膨潤し、この木粉の膨潤によりデッキ材が湾曲変形するといった事態が生じるおそれがある。しかしながら、本発明では、上面表層部の木粉配合比率が相対的に低くされているので、仮に上面表層部内の木粉が膨潤したとしても、そのことがデッキ材の形状に及ぼす影響が小さく抑えられ、前記のようなデッキ材の湾曲変形を効果的に抑制することができる。これにより、デッキ材の使用状態において最も視認され易い部位である上面表層部に適度な木質感を付与しながら、デッキ材の形状安定性を高めることができる。
【０００９】
一方で、上面表層部に覆われている（そのために水に直接濡れる心配のない）基材については、上面表層部よりも木粉の配合比率が高くされているため、配合された木粉の作用により、基材の曲げ剛性、ひいてはデッキ材の曲げ剛性を向上させることができる。また、デッキ材全体として比較的多くの木粉を含有させることができるので、例えば廃棄木材等から作られる木粉の有効利用を図ることができる。
【００１０】
また、本発明では、デッキ材の下面表層部には木粉が配合されていないため、たとえ下面表層部が湿潤な環境下（例えば下面表層部の直下の地盤に水溜りが存在するような状況下）に置かれていたとしても、下面表層部への水分の吸収が回避される結果、デッキ材の形状安定性をより高めることができる。なお、木粉が配合されていない下面表層部の見た目は木質感の低いものとなるが、デッキ材の使用状態において下面表層部は視認されないので、このような木質感の低下が問題になることはない。
【００１１】
本発明において、好ましくは、前記上面表層部の表面が前記下面表層部の表面よりも粗い面に形成される（請求項２）。
【００１２】
この構成によれば、木粉配合比率が小さいために木質感が低下し易い上面表層部に十分な木質感を付与することができる。すなわち、上面表層部が粗面化されると、それによる表面の凹凸が天然木に近い風合いをつくり出す結果、上面表層部の木粉配合比率をそれほど高めなくても、上面表層部の木質感を十分に確保することができる。
【００１３】
また、前記のように上面表層部の表面が粗面化されると、仮に降雨等によって上面表層部に多量の水が付着したとしても、この付着した水が上面表層部上で拡散し易くなる。これにより、上面表層部が乾燥し易くなり、屋外に設置するのに好適な水はけ性のよいデッキ材を得ることができる。
【００１４】
前記構成において、より好ましくは、前記上面表層部の幅方向両端部に、外側ほど高さが低くなるように傾斜した傾斜面が形成される（請求項３）。
【００１５】
この構成によれば、上面表層部の幅方向両端の傾斜面を通じて、上面表層部に付着した水を外部に容易に排出することができ、上面表層部の水はけ性をより向上させることができる。
【００１６】
前記構成において、より好ましくは、前記上面表層部は、前記下面表層部よりも大きい厚みを有するように形成される（請求項４）。
【００１７】
この構成によれば、上面表層部に比較的多量の水が付着した場合でも、その水が上面表層部を通過して基材まで浸透するような事態が起き難くなる。すなわち、基材には比較的多くの木粉が配合されているため、仮にこの基材にまで水が浸透すると、基材に含まれる多くの木粉が膨潤してデッキ材の変形が助長されるおそれがある。これに対し、上面表層部の厚みを大きくした前記構成によれば、この厚めの上面表層部が基材への水の浸透を阻害する結果、前記のような基材内の木粉の膨潤によるデッキ材の変形を効果的に抑制することができる。
【００１８】
また、前記のように上面表層部を粗面化した場合（これにより上面表層部の表面に細かな凹凸が形成された場合）においても、粗面化後の上面表層部の厚みが全体として十分に確保されるので、木質感を十分に付与できる程度に上面表層部を適度に粗面化しながら、前述した基材への水の浸透を効果的に抑制することができる。
【００１９】
ここで、本発明において、前述した効果を十分に得るためには、例えば前記基材の木粉配合比率を２０％以上８０％以下に設定し、かつ前記上面表層部の木粉配合比率を５％以上３０％以下に設定することが好ましい（請求項５）。
【００２０】
また、本発明は、前記デッキ材と、前記デッキ材を下から支持する支持フレームと、前記支持フレームを地盤に固定する台座部とを備えた、ことを特徴するデッキ構造である（請求項６）。
【００２１】
本発明によれば、水が付着しても変形し難いデッキ材を備えた屋外向きのデッキ構造を提供することができる。
【発明の効果】
【００２２】
以上説明したように、本発明のデッキ材およびデッキ構造によれば、デッキ材に木質感を付与しながら、デッキ材に含まれる木粉の膨潤によってデッキ材が変形するのを抑制することができる。
【図面の簡単な説明】
【００２３】
【図１】本発明の一実施形態にかかるデッキ構造を示す斜視図である。
【図２】上記デッキ構造の正面図である。
【図３】上記デッキ構造に用いられるデッキ材を単体で示す斜視図である。
【図４】上記デッキ材の断面図である。
【発明を実施するための形態】
【００２４】
（１）デッキ構造の説明
図１および図２は、本発明の一実施形態にかかるデッキ構造を示している。本図に示されるデッキ構造は、例えば屋外においてテラスもしくは遊歩道（ボードウォーク）として使用されるものであり、床面を構成する複数のデッキ材１と、デッキ材１を下から支持する支持フレーム４０と、支持フレーム４０を地盤Ｅに支持する複数の台座部５０とを備えている。
【００２５】
支持フレーム４０は、矢印Ｘとして示す方向（以下、所定方向Ｘという）に延びる複数の縦材４１と、縦材４１の上側において所定方向Ｘと直交する方向に延びるように配設された複数の横材４２とを有している。縦材４１および横材４２は、それぞれ下面が開放された断面ハット型の鋼材からなり、互いに直角に交差するように井桁状に組み合わされた状態でネジ部材４３（図２）により互いに結合されている。
【００２６】
台座部５０は、地盤Ｅに設置された支持プレート５５と、支持プレート５５の上面に溶接された基礎ボルト５１と、基礎ボルト５１に螺着された上下一対のナット５２（図２）と、両ナット５２の上側に配置されたベースプレート５３とを有している。ベースプレート５３には、支持フレーム４０の縦材４１がネジ部材５４により固定されている。
【００２７】
デッキ材１は、一定の幅をもって所定方向Ｘに延びるように形成された板状の部材である。デッキ材１は、複数用意されて支持フレーム４０の上面に並列に敷設されている。具体的に、複数のデッキ材１は、その長手方向（所定方向Ｘ）に互いに平行に延び、かつ幅方向（Ｘと直交する方向）に互いに隣接するように並べられた状態で支持フレーム４０の上面に取り付けられている。
【００２８】
各デッキ材１は、隣接する２つのデッキ材１の間で共用されるネジ部材６０および取付具６１（図２）により支持フレーム４０の横材４２に固定されている。後でも説明するように、デッキ材１の左右の側面にはそれぞれ凹溝部Ｖが形成されており、互いに対向する２つのデッキ材１の各凹溝部Ｖに取付具６１が共通に挿入されている。そして、当該取付具６１に上から挿入されたネジ部材６０が横材４２に締結されることにより、デッキ材１が支持フレーム４０に固定されている。
【００２９】
（２）デッキ材の説明
次に、主に図３および図４を用いて、デッキ材１の詳細構造について説明する。本図に示すように、デッキ材１は、内部に空間（後述する複数の閉空間Ｓ）を有する中空の板状部材であり、その断面は全体として扁平な矩形状を呈している。
【００３０】
デッキ材１は多層構造とされ、基材２と、基材２の上面および側面の一部を覆う第１表層材３と、基材２の下面および側面の一部を覆う第２表層材４とを有している。
【００３１】
基材２は、梯子状の断面を有する中空状の部材である。すなわち、基材２は、水平面に沿って延びる上壁１０と、上壁１０から下方に離間した位置において上壁１０と平行に延びる下壁１１と、上壁１０および下壁１１のそれぞれの幅方向両端どうしを上下方向に接続する左右一対の側壁１２と、一対の側壁１２の間において上壁１０と下壁１１とを上下方向に接続する複数の区画壁１３とを一体に有している。上壁１０および下壁１１は、上下方向に一定の間隔を空けつつ水平方向に（互いに平行に）延びるように形成されている。そして、これら上壁１０および下壁１１の間に形成された空間が区画壁１３で区切られることにより、基材２の内部に複数の閉空間Ｓが形成されている。各閉空間Ｓは、区画壁１３を挟んで幅方向に一列に並ぶとともに、基材２を長手方向に貫通するように形成されている。
【００３２】
基材２の左右の側壁１２には、デッキ材１の幅方向中心側に凹入した凹溝部Ｖがそれぞれ形成されている。各凹溝部Ｖは、上壁１０と下壁１１との間の一定の高さ位置において、デッキ材１の一端面から他端面にかけて長手方向（所定方向Ｘ）に延びるように形成されている。この凹溝部Ｖには、デッキ材１を支持フレーム４０に固定する際に使用される上述した取付具６１（図２）が挿入される。
【００３３】
第１表層材３は、基材２の上壁１０（上面）を覆う上面表層部２０と、基材２の左右の側壁１２のうち凹溝部Ｖよりも上側の部分を覆う左右一対の側面表層部２１とを一体に有している。第２表層材４は、基材２の下壁１１（下面）を覆う下面表層部３０と、基材２の左右の側壁１２のうち凹溝部Ｖよりも下側の部分を覆う左右一対の側面表層部３１とを一体に有している。一方、基材２の長手方向の両端面、および基材２の左右の凹溝部Ｖについては、第１表層材３および第２表層材４のいずれにも覆われていない。
【００３４】
上面表層部２０は、上面２０ａと、上面２０ａの幅方向両側に連設された左右一対の傾斜面２０ｂとを有している。上面２０ａは、上面表層部２０の大部分の表面を構成しており、水平面に沿って延びる平坦面とされている。傾斜面２０ｂは、上面２０ａの幅方向両端から下方かつ外方に向けて落ち込むように傾斜している。より詳しくは、傾斜面２０ｂは、基材２における上壁１０と側壁１２とが交差する角部を面取りした面取り部に沿って設けられており、デッキ材１の幅方向外側ほど（側面表層部２１に近づくほど）高さが低くなるように傾斜している。
【００３５】
下面表層部３０は、下面３０ａと、下面３０ａの幅方向両側に連設された左右一対の傾斜面３０ｂとを有している。下面３０ａは、下面表層部３０の大部分の表面を構成しており、水平面に沿って延びる平坦面とされている。傾斜面３０ｂは、下面３０ａの幅方向両端から上方かつ外方に向けて立ち上がるように傾斜している。より詳しくは、傾斜面３０ｂは、基材２における下壁１１と側壁１２とが交差する角部を面取りした面取り部に沿って設けられており、デッキ材１の幅方向外側ほど（側面表層部３１に近づくほど）高さが高くなるように傾斜している。
【００３６】
デッキ材１は、上面表層部２０が上になる（下面表層部３０が下になる）姿勢で支持フレーム４０（図１、図２）上に取り付けられる。この状態で、上面表層部２０は、人が歩行あるいは腰掛けるデッキ材１の上面を構成する。また、下面表層部３０は、その一部が支持フレーム４０（図例では横材４２）の上面に接触し、残りの一部が地盤Ｅと直接対向するように露出している。
【００３７】
図４に示すように、上面表層部２０の傾斜面２０ｂの傾斜角度θ、つまり傾斜面２０ｂと水平面（上面２０ａ）とがなす角度θは、２０°以上７０°以下、より好ましくは３０°以上６０°以下（例えば４５°）に設定される。また、傾斜面２０ｂの幅ｗは、１．５ｍｍ以上５ｍｍ以下、より好ましくは２ｍｍ以上４ｍｍ以下（例えば３ｍｍ）に設定される。傾斜面２０ｂの傾斜角度θおよび幅ｗをこのような数値範囲に設定するのは、上面表層部２０の上面２０ａに付着した水が傾斜面２０ｂを通じて排出され易くするためである。
【００３８】
一方、下面表層部３０の傾斜面３０ｂについては、上面表層部２０に付着した水の排出とは無関係であるため、特にその傾斜角度や幅についての限定は受けない。このため、例えば当該傾斜面３０ｂの幅を上側の傾斜面２０ｂの幅ｗよりも小さくしてもよい。また、場合によっては、デッキ材１における下面と側面との角部に最小限の面取り（糸面取り）だけを施して、実質的に傾斜面３０ｂの形成を省略してもよい。
【００３９】
基材２および第１表層材３（上面表層部２０および側面表層部２１）は、ともに、合成樹脂に木粉を配合した木粉配合樹脂により構成されている。例えば、基材２として、ポリ塩化ビニル（ＰＶＣ）樹脂またはＡＢＳ樹脂に木粉を配合したものを好適に使用することが可能である。また、第１表層材３として、ＡＳＡ樹脂に木粉を配合したものを好適に使用することが可能である。もちろん、ここで挙げた合成樹脂の種類は好ましい例示に過ぎず、これ以外の種々の合成樹脂を使用可能である。例えば、ポリエチレン、ポリプロピレン、ＥＶＡ樹脂、ポリスチレンなどが使用可能である。木粉についても、木材を細かくしたものであれば特に種類を問わず使用可能である。
【００４０】
ただし、基材２と第１表層材３とでは木粉の配合比率が異なり、第１表層材３における木粉の配合比率の方が基材２のそれよりも高い値に設定されている。具体的に、基材２における木粉の配合比率は、２０％以上８０％以下、より好ましくは２５％以上５５％以下（例えば３０％）に設定され、第１表層材３における木粉の配合比率は、５％以上３０％以下、より好ましくは５％以上２０％以下（例えば１０％）に設定されている。
【００４１】
なお、基材２および第１表層材３には、木粉以外にも種々の成分が配合され得る。例えば、木質感を演出するための着色顔料の他、発泡剤、紫外線吸収剤、難燃剤、もしくは帯電防止剤等の種々の添加剤が配合され得る。
【００４２】
第２表層材４（下面表層部３０および側面表層部３１）は、上述した基材２および第１表層材３とは異なり、木粉が配合されていない合成樹脂により構成されている。例えば、第２表層材４として、ポリ塩化ビニル（ＰＶＣ）樹脂を好適に使用することができる。もちろん、第２表層材４として使用可能な合成樹脂はこれに限られず、基材２と相溶性のある合成樹脂であれば、木粉が配合されない限りにおいて種々の合成樹脂を使用可能である。また、第２表層材４には、木粉以外の成分、例えば顔料、発泡剤、紫外線吸収剤、難燃剤、もしくは帯電防止剤等が配合され得る。
【００４３】
第１表層材３および第２表層材４は、第１表層材３の上面表層部２０の厚みが相対的に大きくなるように形成されている。すなわち、第１表層材３の上面表層部２０は、第１表層材３の側面表層部２１、第２表層材４の下面表層部３０および側面表層部３１のいずれの厚みよりも大きくなるように形成されている。具体的に、上面表層部２０の厚みは、０．５〜２．５ｍｍ、好ましくは０．８〜１．５ｍｍ（例えば１．２ｍｍ）に設定されている。これに対し、下面表層部３０および側面表層部２１，３１の各厚みは、０．３〜１．２ｍｍ、好ましくは０．３〜０．８ｍｍ（例えば０．５ｍｍ）に設定されている。
【００４４】
デッキ材１の上面、つまり上面表層部２０の表面（上面２０ａおよび傾斜面２０ｂ）は、デッキ材１のその他の面（下面表層部３０および側面表層部２１，３１の各表面）に比べて粗い面とされている。具体的に、上面表層部２０の表面粗さは、算術平均粗さＲａが３．０μｍ以上３０μｍ以下、より好ましくは４．５μｍ以上２０μｍ以下になるように設定される。このように上面表層部２０が粗面化されるのは、上面表層部２０の木質感を高めるとともに、親水性を高めて傾斜面２０ｂからの排水を促進するためである。
【００４５】
以上のような構造のデッキ材１は、例えば共押出成形により製造することが可能である。すなわち、基材２、第１表層材３、および第２表層材４のそれぞれの原料を溶融したものを別々の押出ヘッドから１つの金型内に押出すことにより、基材２、第１表層材３、および第２表層材４を一体に有する多層構造のデッキ材１を製造することができる。なお、このときの押出方向は、デッキ材１の長手方向（所定方向Ｘ）に一致する。
【００４６】
上記のような押出成形の後、第１表層材３の上面表層部２０に粗し加工を施すことにより、上面表層部２０の上面２０ａおよび傾斜面２０ｂをそれぞれＲａ＝３．０〜３０μｍ（好ましくは４．５〜２０μｍ）の粗面に形成する。なお、ここでいう表面粗さＲａ＝３．０〜３０μｍ（好ましくは４．５〜２０μｍ）とは、デッキ材１の長手方向（つまり押出方向）に直交する方向に表面粗さを測定した場合の数値である。
【００４７】
上述した上面表層部２０の粗し加工は、例えば、高速で巻回駆動される無端状のサンディングベルト（研磨シート）を備えたベルトサンダーを用いて行うことができる。このとき、ベルトサンダーは、サンディングベルトが上面表層部２０に対し長手方向（所定方向Ｘ）と平行に摺接するような姿勢で使用される。なお、当然ながら、粗し加工に用いられる工具はベルトサンダーに限られない。例えば、バフ研磨機やディスクグラインダー等を用いて粗し加工を行ってもよい。特に、傾斜面２０ｂは上面２０ａに比べて面積が小さいため、回転工具の先端に金属ブラシを取り付けたものを用いて傾斜面２０ｂを粗し加工したり、サンドペーパを用いて手作業で傾斜面２０ｂを粗し加工してもよい。
【００４８】
（３）作用等
以上説明した実施形態によれば、デッキ材１における基材２と上面表層部２０（これを含む第１表層材３）とがそれぞれ木粉配合樹脂により構成されるとともに、上面表層部２０の木粉配合比率の方が基材２の木粉配合比率よりも小さくされているため、木粉の配合によりデッキ材１に木質感を付与しながら、デッキ材１の形状安定性を高めることができる。すなわち、例えば降雨等により上面表層部２０に水が付着した場合には、付着した水が上面表層部２０内の木粉に吸収されて当該木粉が膨潤し、この木粉の膨潤によりデッキ材１が湾曲変形するといった事態が生じるおそれがある。しかしながら、上記実施形態では、上面表層部２０の木粉配合比率が相対的に低くされているので、仮に上面表層部２０内の木粉が膨潤したとしても、そのことがデッキ材１の形状に及ぼす影響が小さく抑えられ、上記のようなデッキ材１の湾曲変形を効果的に抑制することができる。これにより、デッキ材１の使用状態において最も視認され易い部位である上面表層部２０に適度な木質感を付与しながら、デッキ材１の形状安定性を高めることができる。
【００４９】
一方で、上面表層部２０に覆われている（そのために水に直接濡れる心配のない）基材２については、上面表層部２０よりも木粉の配合比率が高くされているため、配合された木粉の作用により、基材２の曲げ剛性、ひいてはデッキ材１の曲げ剛性を向上させることができる。また、デッキ材１全体として比較的多くの木粉を含有させることができ、例えば廃棄木材等から作られる木粉の有効利用を図ることができる。
【００５０】
また、上記実施形態では、デッキ材１の下面表層部３０（これを含む第２表層材４）には木粉が配合されていないため、たとえ下面表層部３０が湿潤な環境下に置かれていたとしても、下面表層部３０への水分の吸収が回避される結果、デッキ材１の形状安定性をより高めることができる。例えば、下面表層部３０の直ぐ下に地盤Ｅが存在し、この地盤Ｅに水溜りなどが形成されることが想定されるが、このような場合において、仮に下面表層部３０に木粉が配合されていたとすると、この木粉に水分が吸収されて当該木粉が膨潤し、デッキ材１の形状に悪影響が及ぶおそれがある。これに対し、上記実施形態のように下面表層部３０に木粉が配合されていない場合には、水溜りが存在するような湿潤な環境下であっても下面表層部３０への水分の吸収が回避されるので、デッキ材１の形状安定性をより高めることができる。なお、木粉が配合されていない下面表層部３０の見た目は木質感の低いものとなるが、デッキ材１の使用状態において下面表層部３０は視認されないので、このような木質感の低下が問題になることはない。
【００５１】
また、上記実施形態では、上面表層部２０の表面（上面２０ａおよび傾斜面２０ｂ）が加工により粗面化されて、下面表層部３０の表面（下面３０ａおよび傾斜面３０ｂ）よりも粗い面とされているため、木粉配合比率が小さいために木質感が低下し易い上面表層部２０に十分な木質感を付与することができる。すなわち、上面表層部２０が粗面化されると、それによる表面の凹凸が天然木に近い風合いをつくり出す結果、上面表層部２０（これを含む第１表層材３）の木粉配合比率をそれほど高めなくても、上面表層部２０の木質感を十分に確保することができる。
【００５２】
また、上記のように上面表層部２０の表面が粗面化されると、仮に降雨等によって上面表層部２０に多量の水が付着したとしても、この付着した水が上面表層部２０上で拡散し易くなる。これにより、上面表層部２０が乾燥し易くなり、屋外に設置するのに好適な水はけ性のよいデッキ材１を得ることができる。
【００５３】
しかも、上記実施形態では、上面表層部２０の幅方向両端部に、外側ほど高さが低くなる傾斜面２０ｂが形成されているので、この傾斜面２０ｂを通じて、上面表層部２０（その上面２０ａ）に付着した水を外部に容易に排出することができ、上面表層部２０の水はけ性をより向上させることができる。
【００５４】
また、上記実施形態では、上面表層部２０の厚みが下面表層部３０よりも大きくされているので、上面表層部２０に比較的多量の水が付着した場合でも、その水が上面表層部２０を通過して基材２まで浸透するような事態が起き難くなる。すなわち、基材２には比較的多くの木粉が配合されているため、仮にこの基材２にまで水が浸透すると、基材２に含まれる多くの木粉が膨潤してデッキ材１の変形が助長されるおそれがある。これに対し、上面表層部２０の厚みを大きくした上記実施形態によれば、この厚めの上面表層部２０が基材２への水の浸透を確実に阻害する結果、上記のような基材２内の木粉の膨潤によるデッキ材１の変形を効果的に抑制することができる。
【００５５】
また、上記実施形態のように上面表層部２０を粗面化した場合（これにより上面表層部２０の表面に細かな凹凸が形成された場合）においても、粗面化後の上面表層部２０の厚みが全体として十分に確保されるので、木質感を十分に付与できる程度に上面表層部２０を適度に粗面化しながら、上述した基材２への水の浸透を効果的に抑制することができる。
【００５６】
なお、上記実施形態では、梯子状の中空断面をもった基材２を有するデッキ材１に本発明を適用した例について説明したが、本発明は種々の断面形状を有するデッキ材に適用可能であり、例えば中実断面の基材を有するデッキ材に本発明を適用してもよい。
【００５７】
また、上記実施形態では、所定方向Ｘに真っ直ぐ延びるようなデッキ材１に本発明を適用した例について説明したが、本発明が適用可能なデッキ材は直線状に延びるものに限られず、例えば曲線に沿って湾曲しつつ延びるデッキ材であってもよい。また、デッキ材の幅寸法は一定である必要はなく、場所によって異なる幅を有していてもよい。
【００５８】
また、上記実施形態では、テラスまたは遊歩道（ボードウォーク）に使用されるデッキ材１に本発明を適用した例について説明したが、本発明は、テラスや遊歩道に限られず、屋外に設置される種々の構造物（デッキ構造）に使用されるデッキ材に適用可能であり、例えばベランダやベンチなどに使用されるデッキ材に本発明を適用してもよい。
【符号の説明】
【００５９】
１  デッキ材
２  基材
２０  上面表層部
３０  下面表層部
４０  支持フレーム
５０  台座部
【図１】
2018012976.tif 000003
【図２】
2018012976.tif 000004
【図３】
2018012976.tif 000005
【図４】
2018012976.tif 000006